(57)【要約】【課題】高精度の測定が可能でありかつ低インピーダンスも測定可能なインピーダンス測定装置及び健康管理指針アドバイス装置を提供する。【解決手段】電流印加電極部２に電流を供給する電流駆動部４の出力を増幅する電圧増幅部７と、電圧電極部３の出力を増幅する差動増幅部８とはアナログスイッチ９を介して互いに切替可能にＡ／Ｄ変換部１０に接続される。電圧増幅部７とＡ／Ｄ変換部１０とを接続し、ＣＰＵ６で電流駆動部４の出力波形を検出する。この出力波形が正常でない場合には測定対象物のインピーダンス測定を行わず、正常である場合にはアナログスイッチ９を切り替えて差動増幅部８とＡ／Ｄ変換部１０とを接続し、測定対象物のインピーダンス測定を行う。【選択図】　図１
2004000333.tif 000002
【特許請求の範囲】
【請求項１】
測定対象物に対して電流を印加するための電流印加用電極と、
前記印加された電流によって生じる電圧を計測するための電圧計測用電極と、
前記計測された電圧に基づいて前記測定対象物のインピーダンスを測定するインピーダンス測定手段とを備えたインピーダンス測定装置であって、
前記電流印加用電極と前記電圧計測用電極との間に設けられた抵抗と、
前記電流印加用電極及び前記電圧測定用電極と前記抵抗とを接続及び切断する抵抗断続手段と、
前記電流印加用電極及び前記電圧測定用電極と前記抵抗とを接続した状態で、前記計測された電圧に基づいてインピーダンスを算出するインピーダンス算出手段と、前記インピーダンス算出手段によって前記算出されたインピーダンスが所定範囲内であるか否かを判定する範囲判定手段と、を有し、前記範囲判定手段の判定結果によって前記電流印加用電極及び前記電圧計測用電極と前記測定対象物との接触状態を判定する接触状態判定手段と、
前記インピーダンス測定装置による測定動作を制御する測定制御手段と、
を備え、
前記測定制御手段は、前記範囲判定手段によって前記算出されたインピーダンスが所定範囲内ではないと判定された場合に、前記インピーダンス測定手段による前記測定対象物のインピーダンス測定を行わない機能を有するインピーダンス測定装置。
【請求項２】
前記測定制御手段は、前記抵抗断続手段を制御する抵抗断続制御手段を有し、前記範囲判定手段によって、前記算出されたインピーダンスが所定範囲内であると判定された場合に、前記抵抗断続手段を制御して前記電流印加用電極及び前記電圧計測用電極と前記抵抗とを切断し、前記インピーダンス測定手段によって前記測定対象物のインピーダンスを測定する機能を有する請求項１に記載のインピーダンス測定装置。
【請求項３】
前記測定制御手段は、前記抵抗断続手段を制御して、切断された前記電流印加用電極及び前記電圧計測用電極と前記抵抗とを接続し、前記接触状態判定手段によって前記電流印加用電極及び前記電圧測定用電極と前記測定対象物との接触状態を判定する機能を有する請求項２に記載のインピーダンス測定装置。
【請求項４】
測定対象物に対して電流を印加するための電流印加用電極と、
前記印加された電流によって生じる電圧を計測するための電圧計測用電極と、
前記計測された電圧に基づいて測定対象物のインピーダンスを測定するインピーダンス測定手段と、
を備えたインピーダンス測定装置であって、
前記電流印加用電極と前記電圧計測用電極との間に設けられた抵抗と、
前記電流印加用電極及び前記電圧計測用電極と前記抵抗とを接続及び切断する抵抗断続手段と、
前記電流印加用電極及び前記電圧計測用電極の少なくともいずれかと前記測定対象物との接触状態を検出する接触状態検出手段と、
前記接触状態検出手段の出力に基づいて、前記抵抗断続手段を制御する抵抗断続制御手段と、
を備え、
前記抵抗断続制御手段は、前記接触状態検出手段の出力が前記電流印加用電極及び前記電圧計測用電極と前記測定対象物との接触状態が正常でないことを示す場合に、前記電流印加用電極及び前記電圧計測用電極と前記抵抗とを接続し、前記接触状態検出手段の出力が前記電流印加用電極及び前記電圧計測用電極と前記測定対象物との接触状態が正常であることを示す場合に、前記電流印加用電極及び前記電圧計測用電極と前記抵抗とを切断する機能を有するインピーダンス測定装置。
【請求項５】
前記インピーダンス測定装置による測定動作を制御する測定制御手段を備え、
前記測定制御手段は、前記接触状態検出手段の出力が前記電流印加用電極及び前記電圧計測用電極のいずれかと前記測定対象物との接触状態が正常ではないことを示す場合には、前記インピーダンス測定手段による前記測定対象物のインピーダンス測定を行わない機能を有する請求項４に記載のインピーダンス測定装置。
【請求項６】
前記接触状態検出手段の出力に基づいて、前記接触状態検出手段の出力が前記電流印加用電極及び前記電圧計測用電極と前記測定対象物との接触状態が正常であるか否かを判定する接触状態判定手段を備え、
前記測定制御手段は、前記接触状態判定手段によって前記電流印加用電極及び前記電圧計測用電極と前記測定対象物との接触状態が正常ではないと判定された場合に、前記インピーダンス測定手段による前記測定対象物のインピーダンス測定を行わない機能を有する請求項４に記載のインピーダンス測定装置。
【請求項７】
前記インピーダンス測定装置による測定動作を制御する測定制御手段を備え、
前記測定制御手段は、前記接触状態検出手段の出力が前記電流印加用電極及び前記電圧計測用電極と前記測定対象物との接触状態が正常であることを示す場合には、前記インピーダンス測定手段による前記測定対象物のインピーダンス測定を行う機能を有する請求項４に記載のインピーダンス測定装置。
【請求項８】
前記接触状態検出手段の出力に基づいて、前記接触状態検出手段の出力が前記電流印加用電極及び前記電圧計測用電極と前記測定対象物との接触状態が正常であるか否かを判定する接触状態判定手段を備え、
前記測定制御手段は、前記接触状態判定手段によって前記電流印加用電極及び前記電圧計測用電極と前記測定対象物との接触状態が正常であると判定された場合に、前記インピーダンス測定手段による前記測定対象物のインピーダンス測定を行う機能を有する請求項７に記載のインピーダンス測定装置。
【請求項９】
前記測定制御手段は、前記抵抗断続制御手段を備え、前記接触状態判定手段によって前記電流印加用電極及び前記電圧計測用電極と前記測定対象物との接触状態が正常であると判定された場合に、前記抵抗断続手段を制御して前記電流印加用電極及び前記電圧計測用電極と前記抵抗とを切断するとともに前記インピーダンス測定手段による前記測定対象物のインピーダンス測定を行う機能を有する請求項８に記載のインピーダンス測定装置。
【請求項１０】
測定対象物に対して電流を印加するための電流印加用電極と、
前記印加された電流によって生じる電圧を計測するための電圧計測用電極と、
前記測定された電圧に基づいて前記測定対象物のインピーダンスを測定するインピーダンス測定手段と、
前記電流印加用電極に電流を供給する電流供給手段と、
前記電流供給手段から出力される信号の波形を検出する波形検出手段と、
前記波形検出手段によって検出された信号波形が正常か否かを判定する波形判定手段と、
前記波形検出手段によって検出された信号波形が正常ではないと前記波形判定手段によって判定された場合に、前記インピーダンス測定手段による前記測定対象物のインピーダンス測定を行わないよう前記インピーダンス測定手段を制御する測定制御手段と、
を備えたインピーダンス測定装置。
【請求項１１】
前記測定制御手段は、前記波形検出手段によって検出された信号波形が正常であると前記波形判定手段によって判定された場合に、前記インピーダンス測定手段によって前記測定対象物のインピーダンスを測定するとともに、前記波形判定手段によって前記波形検出手段によって検出された信号波形が正常であるか否かを判定する機能を有する請求項１０に記載のインピーダンス測定装置。
【請求項１２】
前記測定対象物のインピーダンス測定を行わない場合に、その旨を使用者に報知する報知手段を備えた請求項１，４，５，６又は１０のいずれかに記載のインピーダンス測定装置。
【請求項１３】
生体のインピーダンスを測定するインピーダンス測定部と、
前記測定されたインピーダンスに基づいて健康管理に有益な指針情報を提供する指針情報提供部と、を備えた健康管理指針アドバイス装置であって、
前記インピーダンス測定部は、請求項１乃至１２のいずれかに記載のインピーダンス測定装置を有する健康管理指針アドバイス装置。
【請求項１４】
前記インピーダンス測定部は、生体の腹部のインピーダンスを測定する請求項１３に記載の健康管理指針アドバイス装置。
【請求項１５】
測定対象物に対して電流を印加するための電流印加用電極と、前記印加された電流によって生じる電圧を計測するための電圧計測用電極と、前記電流印加用電極と前記電圧計測用電極との間に設けられた抵抗と、を備えたインピーダンス測定装置によって、前記測定対象物のインピーダンスを測定するインピーダンス測定方法であって、
前記計測された電圧に基づいてインピーダンスを算出し、
前記算出されたインピーダンスが所定範囲内であるか否かを判定し、
前記算出されたインピーダンスが所定範囲内でない場合には、前記測定対象物のインピーダンス測定を行わないインピーダンス測定方法。
【請求項１６】
前記インピーダンス測定装置は、前記電流印加用電極及び前記電圧測定用電極と前記抵抗とを接続及び切断する抵抗断続手段を備え、
前記算出されたインピーダンスが所定範囲内である場合には、前記電流印加用電極及び前記電圧計測用電極と前記抵抗とを切断し、
前記計測されたインピーダンスに基づいて測定対象物のインピーダンスを測定する請求項１５に記載のインピーダンス測定方法。
【請求項１７】
前記電流印加用電極及び前記電圧計測用電極と前記抵抗とを切断し、前記測定対象物のインピーダンスを測定する際に、
前記電流印加用電極及び前記電圧計測用電極と前記抵抗とを接続し、
前記計測された電圧に基づいてインピーダンスを算出し、
前記算出されたインピーダンスが所定範囲内であるか否かを判定する請求項１６に記載のインピーダンス測定方法。
【請求項１８】
測定対象物に対して電流を印加するための電流印加用電極と、前記印加された電流によって生じる電圧を計測するための電圧計測用電極と、前記電流印加用電極と前記電圧計測用電極との間に設けられた抵抗と、前記電流印加用電極及び前記電圧計測用電極の少なくともいずれかと前記測定対象物との接触状態を検出する接触検出手段と、を備えたインピーダンス測定装置によって、前記測定対象物のインピーダンスを測定するインピーダンス測定方法であって、
前記接触検出手段によって電流印加用電極及び前記電圧計測用電極の少なくともいずれかと前記測定対象物との接触状態を検出し、
前記接触検出手段の出力が前記電流印加用電極及び前記電圧計測用電極と前記測定対象物との接触状態が正常でないことを示す場合には、前記測定対象物のインピーダンス測定を行わないインピーダンス測定方法。
【請求項１９】
前記電流印加用電極及び前記電圧計測用電極と前記抵抗とを接続及び切断する抵抗断続手段を備え、
前記接触検出手段の出力が前記電流印加用電極及び前記電圧計測用電極と前記測定対象物との接触状態が正常であることを示す場合には、前記電流印加用電極及び前記電圧計測用電極と前記抵抗とを切断し、前記測定対象物のインピーダンス測定を行う請求項１８に記載のインピーダンス測定方法。
【請求項２０】
測定対象物に対して電流を印加するための電流印加用電極と、前記印加された電流によって生じる電圧を計測するための電圧計測用電極と、前記電流印加用電極に電流を供給する電流供給手段と、前記電流供給手段から出力される信号の波形を検出する波形検出手段と、前記波形検出手段によって検出された信号波形が正常か否かを判定する波形判定手段と、を備えたインピーダンス測定装置によって、前記測定対象物のインピーダンスを測定するインピーダンス測定方法であって、
前記波形検出手段によって前記電流供給手段から出力される信号の波形を検出し、
前記波形判定手段によって検出された信号波形が正常か否かを判定し、
前記検出された信号波形が正常でないと判定された場合には、前記測定対象物のインピーダンス測定を行わず、
前記検出された信号波形が正常であると判定された場合には、前記測定対象物のインピーダンス測定を行うインピーダンス測定方法。
【請求項２１】
前記検出された信号波形が正常であると判定され、前記測定対象物のインピーダンス測定を行う際に、
前記波形検出手段によって前記電流供給手段から出力される信号の波形を検出し、
前記波形判定手段によって検出された信号波形が正常か否かを判定する請求項２０に記載のインピーダンス測定方法。
【発明の詳細な説明】
【０００１】
【発明の属する技術の分野】
本発明は、被測定者の体内インピーダンスを測定するインピーダンス測定装置及び体脂肪率等の健康管理に有益な指針情報を提供する健康管理指針アドバイス装置に関する。
【０００２】
【従来の技術】
従来、ベルト式の装置でインピーダンスを測定する技術としては、
（１）特開平１１−１１３８７０号公報
（２）特開２００１−２５２２５７公報
に記載がある。これらの公報に開示されている技術においては、ベルトそのものや各電極の取付等により、電極が体表面から離間する可能性がある。また、一つの電極の接触位置を調整するときに他の電極が動くことにより接触不良が生じる可能性がある。さらに、被測定者が呼吸をする際に装着部位の周長が変化するために電極が動き、体表面との接触状態が変動する可能性がある。
【０００３】
これに対して、生体誘導ノイズの影響を受けにくく、高精度の測定を可能とした技術としては、
（３）特開平０８−１５４９１０号公報
に記載がある。この公報には、電流供給回路と電圧計測回路側電極を抵抗によって接続する技術が開示されている。
【０００４】
【発明が解決しようとする課題】
しかしながら、腹部周囲等に電極を複数配置して腹部のインピーダンスを測定しようとした場合には、腹部のインピーダンスは両手間や両足間、手足間のインピーダンスに比べ低インピーダンスである。このため、上記従来技術（３）のように電流供給回路側電極と電圧計測回路側電極を抵抗によって接続すると電圧検出回路側からは入力インピーダンスとなり、電流供給回路側電極の接触インピーダンスの影響を受けてしまう。また、電流供給回路側からはオペアンプの帰還ループ内にあるので、電圧計測回路側電極の接触インピーダンスの影響を受けてしまう。
【０００５】
本発明は、かかる従来技術の課題を解決するためになされたものであって、祖の目的とするところは、高精度の測定が可能でありかつ低インピーダンスも測定可能なインピーダンス測定装置及び健康管理指針アドバイス装置を提供することにある。
【０００６】
【課題を解決するための手段】
上記目的を達成するために、本発明は、測定対象物に対して電流を印加するための電流印加用電極と、前記印加された電流によって生じる電圧を計測するための電圧計測用電極と、前記計測された電圧に基づいて前記測定対象物のインピーダンスを測定するインピーダンス測定手段とを備えたインピーダンス測定装置であって、前記電流印加用電極と前記電圧計測用電極との間に設けられた抵抗と、前記電流印加用電極及び前記電圧測定用電極と前記抵抗とを接続及び切断する抵抗断続手段と、前記電流印加用電極及び前記電圧測定用電極と前記抵抗とを接続した状態で、前記計測された電圧に基づいてインピーダンスを算出するインピーダンス算出手段と、前記インピーダンス算出手段によって前記算出されたインピーダンスが所定範囲内であるか否かを判定する範囲判定手段と、を有し、前記範囲判定手段の判定結果によって前記電流印加用電極及び前記電圧計測用電極と前記測定対象物との接触状態を判定する接触状態判定手段と、前記インピーダンス測定装置による測定動作を制御する測定制御手段と、を備え、前記測定制御手段は、前記範囲判定手段によって前記算出されたインピーダンスが所定範囲内ではないと判定された場合に、前記インピーダンス測定手段による前記測定対象物のインピーダンス測定を行わない機能を有する。
【０００７】
このようにすれば、電流印加用電極及び電圧測定用電極と抵抗とを接続した状態で、算出されたインピーダンスが所定範囲内であるか否かを判定し、所定範囲内ではない場合には、測定対象物のインピーダンス測定を行わないので、電流印加用電極及び電圧測定用電極と測定対象物との接触状態が適切でない状態での測定による誤測定の発生を防止することができる。
【０００８】
前記測定制御手段は、前記抵抗断続手段を制御する抵抗断続制御手段を有し、前記範囲判定手段によって、前記算出されたインピーダンスが所定範囲内であると判定された場合に、前記抵抗断続手段を制御して前記電流印加用電極及び前記電圧計測用電極と前記抵抗とを切断し、前記インピーダンス測定手段によって前記測定対象物のインピーダンスを測定する機能を有することが好適である。
【０００９】
このように電流印加用電極及び電圧計測用電極と抵抗とを切断すれば、インピーダンスが小さい測定対象物についても精密な測定が可能となる。
【００１０】
前記測定制御手段は、前記抵抗断続手段を制御して、切断された前記電流印加用電極及び前記電圧計測用電極と前記抵抗とを接続し、前記接触状態判定手段によって前記電流印加用電極及び前記電圧測定用電極と前記測定対象物との接触状態を判定する機能を有することが好適である。
【００１１】
また、本発明は、測定対象物に対して電流を印加するための電流印加用電極と、前記印加された電流によって生じる電圧を計測するための電圧計測用電極と、前記計測された電圧に基づいて測定対象物のインピーダンスを測定するインピーダンス測定手段と、を備えたインピーダンス測定装置であって、前記電流印加用電極と前記電圧計測用電極との間に設けられた抵抗と、前記電流印加用電極及び前記電圧計測用電極と前記抵抗とを接続及び切断する抵抗断続手段と、前記電流印加用電極及び前記電圧計測用電極の少なくともいずれかと前記測定対象物との接触状態を検出する接触状態検出手段と、前記接触状態検出手段の出力に基づいて、前記抵抗断続手段を制御する抵抗断続制御手段と、を備え、前記抵抗断続制御手段は、前記接触状態検出手段の出力が前記電流印加用電極及び前記電圧計測用電極と前記測定対象物との接触状態が正常でないことを示す場合に、前記電流印加用電極及び前記電圧計測用電極と前記抵抗とを接続し、前記接触状態検出手段の出力が前記電流印加用電極及び前記電圧計測用電極と前記測定対象物との接触状態が正常であることを示す場合に、前記電流印加用電極及び前記電圧計測用電極と前記抵抗とを切断する機能を有する。
【００１２】
このようにすれば、電流印加用電極及び電圧計測用電極と測定対象物との接触状態が正常ではない場合には電流印加用電極及び電圧計測用電極と抵抗とが接続されているので、誘導のノイズの影響を抑制することができ、電流印加用電極及び電圧計測用電極と測定対象物との接触状態が正常である場合には電流印加用電極及び電圧計測用電極と抵抗とが切断されるので、インピーダンスが小さい測定対象物についても精密な測定が可能となる。
【００１３】
前記インピーダンス測定装置による測定動作を制御する測定制御手段を備え、前記測定制御手段は、前記接触状態検出手段の出力が前記電流印加用電極及び前記電圧計測用電極のいずれかと前記測定対象物との接触状態が正常ではないことを示す場合には、前記インピーダンス測定手段による前記測定対象物のインピーダンス測定を行わない機能を有することが好適である。
【００１４】
前記接触状態検出手段の出力に基づいて、前記接触状態検出手段の出力が前記電流印加用電極及び前記電圧計測用電極と前記測定対象物との接触状態が正常であるか否かを判定する接触状態判定手段を備え、前記測定制御手段は、前記接触状態判定手段によって前記電流印加用電極及び前記電圧計測用電極と前記測定対象物との接触状態が正常ではないと判定された場合に、前記インピーダンス測定手段による前記測定対象物のインピーダンス測定を行わない機能を有することが好適である。
【００１５】
前記インピーダンス測定装置による測定動作を制御する測定制御手段を備え、前記測定制御手段は、前記接触状態検出手段の出力が前記電流印加用電極及び前記電圧計測用電極と前記測定対象物との接触状態が正常であることを示す場合には、前記インピーダンス測定手段による前記測定対象物のインピーダンス測定を行う機能を有することが好適である。
【００１６】
前記接触状態検出手段の出力に基づいて、前記接触状態検出手段の出力が前記電流印加用電極及び前記電圧計測用電極と前記測定対象物との接触状態が正常であるか否かを判定する接触状態判定手段を備え、前記測定制御手段は、前記接触状態判定手段によって前記電流印加用電極及び前記電圧計測用電極と前記測定対象物との接触状態が正常であると判定された場合に、前記インピーダンス測定手段による前記測定対象物のインピーダンス測定を行う機能を有することが好適である。
【００１７】
前記測定制御手段は、前記抵抗断続制御手段を備え、前記接触状態判定手段によって前記電流印加用電極及び前記電圧計測用電極と前記測定対象物との接触状態が正常であると判定された場合に、前記抵抗断続手段を制御して前記電流印加用電極及び前記電圧計測用電極と前記抵抗とを切断するとともに前記インピーダンス測定手段による前記測定対象物のインピーダンス測定を行う機能を有することが好適である。
【００１８】
また、本発明は、測定対象物に対して電流を印加するための電流印加用電極と、前記印加された電流によって生じる電圧を計測するための電圧計測用電極と、前記測定された電圧に基づいて前記測定対象物のインピーダンスを測定するインピーダンス測定手段と、前記電流印加用電極に電流を供給する電流供給手段と、前記電流供給手段から出力される信号の波形を検出する波形検出手段と、前記波形検出手段によって検出された信号波形が正常か否かを判定する波形判定手段と、前記波形検出手段によって検出された信号波形が正常ではないと前記波形判定手段によって判定された場合に、前記インピーダンス測定手段による前記測定対象物のインピーダンス測定を行わないよう前記インピーダンス測定手段を制御する測定制御手段と、を備えたインピーダンス測定装置である。
【００１９】
このようにすれば、電流印加用電極及び電圧計測用電極と測定対象物との接触状態が正常である場合と正常でない場合とでは、電流供給手段から出力される信号の波形が異なるので、この波形を検出し、接触状態が正常である場合の波形を基準として波形が正常であるか否かを判定し、正常でない場合には測定対象物のインピーダンス測定を行わないようにすることにより、電流印加用電極及び電圧計測用電極と測定対象物との接触状態が正常でない状態での測定による誤測定の発生を防止することができる。
【００２０】
前記測定制御手段は、前記波形検出手段によって検出された信号波形が正常であると前記波形判定手段によって判定された場合に、前記インピーダンス測定手段によって前記測定対象物のインピーダンスを測定するとともに、前記波形判定手段によって前記波形検出手段によって検出された信号波形が正常であるか否かを判定する機能を有することが好適である。
【００２１】
前記測定対象物のインピーダンス測定を行わない場合に、その旨を使用者に報知する報知手段を備えることが好適である。
【００２２】
また、本発明は、生体のインピーダンスを測定するインピーダンス測定部と、前記測定されたインピーダンスに基づいて健康管理に有益な指針情報を提供する指針情報提供部と、を備えた健康管理指針アドバイス装置であって、前記インピーダンス測定部は、前記インピーダンス測定装置を有する健康管理指針アドバイス装置である。
【００２３】
前記インピーダンス測定部は、生体の腹部のインピーダンスを測定することが好適である。
【００２４】
また、本発明は、測定対象物に対して電流を印加するための電流印加用電極と、前記印加された電流によって生じる電圧を計測するための電圧計測用電極と、前記電流印加用電極と前記電圧計測用電極との間に設けられた抵抗と、を備えたインピーダンス測定装置によって、前記測定対象物のインピーダンスを測定するインピーダンス測定方法であって、前記計測された電圧に基づいてインピーダンスを算出し、前記算出されたインピーダンスが所定範囲内であるか否かを判定し、前記算出されたインピーダンスが所定範囲内でない場合には、前記測定対象物のインピーダンス測定を行わないインピーダンス測定方法である。
【００２５】
前記インピーダンス測定装置は、前記電流印加用電極及び前記電圧測定用電極と前記抵抗とを接続及び切断する抵抗断続手段を備え、前記算出されたインピーダンスが所定範囲内である場合には、前記電流印加用電極及び前記電圧計測用電極と前記抵抗とを切断し、前記計測されたインピーダンスに基づいて測定対象物のインピーダンスを測定することが好適である。
【００２６】
前記電流印加用電極及び前記電圧計測用電極と前記抵抗とを切断し、前記測定対象物のインピーダンスを測定する際に、前記電流印加用電極及び前記電圧計測用電極と前記抵抗とを接続し、前記計測された電圧に基づいてインピーダンスを算出し、前記算出されたインピーダンスが所定範囲内であるか否かを判定することが好適である。
【００２７】
また、本発明は、測定対象物に対して電流を印加するための電流印加用電極と、前記印加された電流によって生じる電圧を計測するための電圧計測用電極と、前記電流印加用電極と前記電圧計測用電極との間に設けられた抵抗と、前記電流印加用電極及び前記電圧計測用電極の少なくともいずれかと前記測定対象物との接触状態を検出する接触検出手段と、を備えたインピーダンス測定装置によって、前記測定対象物のインピーダンスを測定するインピーダンス測定方法であって、前記接触検出手段によって電流印加用電極及び前記電圧計測用電極の少なくともいずれかと前記測定対象物との接触状態を検出し、前記接触検出手段の出力が前記電流印加用電極及び前記電圧計測用電極と前記測定対象物との接触状態が正常でないことを示す場合には、前記測定対象物のインピーダンス測定を行わないインピーダンス測定方法である。
【００２８】
前記電流印加用電極及び前記電圧計測用電極と前記抵抗とを接続及び切断する抵抗断続手段を備え、前記接触検出手段の出力が前記電流印加用電極及び前記電圧計測用電極と前記測定対象物との接触状態が正常であることを示す場合には、前記電流印加用電極及び前記電圧計測用電極と前記抵抗とを切断し、前記測定対象物のインピーダンス測定を行うことが好適である。
【００２９】
また、本発明は、測定対象物に対して電流を印加するための電流印加用電極と、前記印加された電流によって生じる電圧を計測するための電圧計測用電極と、前記電流印加用電極に電流を供給する電流供給手段と、前記電流供給手段から出力される信号の波形を検出する波形検出手段と、前記波形検出手段によって検出された信号波形が正常か否かを判定する波形判定手段と、を備えたインピーダンス測定装置によって、前記測定対象物のインピーダンスを測定するインピーダンス測定方法であって、前記波形検出手段によって前記電流供給手段から出力される信号の波形を検出し、前記波形判定手段によって検出された信号波形が正常か否かを判定し、前記検出された信号波形が正常でないと判定された場合には、前記測定対象物のインピーダンス測定を行わず、前記検出された信号波形が正常であると判定された場合には、前記測定対象物のインピーダンス測定を行うインピーダンス測定方法である。
【００３０】
前記検出された信号波形が正常であると判定され、前記測定対象物のインピーダンス測定を行う際に、前記波形検出手段によって前記電流供給手段から出力される信号の波形を検出し、前記波形判定手段によって検出された信号波形が正常か否かを判定することが好適である。
【００３１】
【発明の実施の形態】
以下、図面を参照して本発明の実施形態について説明する。
【００３２】
（第１の実施形態）
図１に本発明の第１の実施形態に係るインピーダンス測定装置１の概略構成を示す。
【００３３】
インピーダンス測定装置１は、主として、電流電極部２、電圧電極部３、電流駆動部４、フィルタ部５、ＣＰＵ６、電圧増幅部７、差動増幅部８、アナログスイッチ９、Ａ／Ｄ変換部１０、表示部１１を備える。
【００３４】
電流電極部（電流印加用電極）２及び電圧電極部（電圧計測用電極）３を測定対象物に接触させ、電流電極部２を介して印加された高周波電流により生じる抵抗電位を電圧電極部３によって検出する。電流電極部２から印加される電流は、定電流回路から構成される電流駆動部（電流供給手段）４によって生成される。この電流駆動部４は、フィルタ部５を介してＣＰＵ（測定制御手段）６から伝達される信号によって駆動される。電流駆動部４には、電流電極部２とともに電圧増幅部７が接続されている。電圧電極部３によって検出された信号は、差動増幅部８によって増幅される。電圧増幅部７及び差動増幅部８はアナログスイッチ９を介して互いに切替可能にＡ／Ｄ変換部１０に接続されている。Ａ／Ｄ変換部１０によってデジタル信号に変換された信号はＣＰＵ６に入力される。電圧増幅部７とＡ／Ｄ変換部１０が接続されている場合には、ＣＰＵ６は電流駆動部４の出力波形が正常であるか否かを判定する。差動増幅部８とＡ／Ｄ変換部１０が接続されている場合には、ＣＰＵ６は電圧電極部３によって計測された電圧に基づいて測定対象物のインピーダンスを算出する。表示部（報知手段）１１は、測定値や操作情報等の種々の情報を文字・図形等の視覚的に表示し、使用者に所定の情報を報知する。ここでは、電圧増幅部７及びＡ／Ｄ変換部１０が波形検出手段を構成し、ＣＰＵ６が波形判定手段を構成する。また、差動増幅部８とＡ／Ｄ変換部１０に接続されたＣＰＵ６がインピーダンス測定手段を構成する。尚、図では装置各部を制御するとともに測定動作を制御するプログラムや固定値等を記憶したＲＯＭ及びデータ等を記憶し作業領域を構成するＲＡＭ等の記憶手段については省略し、ＣＰＵ６のみを表示している。
【００３５】
図２にインピーダンス測定装置１による測定動作の手順を示す。
【００３６】
測定を開始すると、まず、密着判定モードとなる（ステップ１）。ここで、アナログスイッチ９は、電圧増幅部７側に接続される。
【００３７】
ＣＰＵ６において、電流駆動部４から出力される電流の波形を電圧増幅部７及びＡ／Ｄ変換部１０を介して検出し、電流判定処理を行う（ステップ２）。ここでは、電流波形が正常か否かを判定する（ステップ３）。
【００３８】
ステップ３において電流が異常であれば、ステップ１に戻る。ステップ３において電流が正常であれば、精密判定モードとなる（ステップ４）。精密判定モードでも、ステップ２と同様の電流判定処理を行う（ステップ５）。ステップ５の電流判定処理においても、電流が正常か否かを判定する（ステップ６）。
【００３９】
ステップ６において電流が異常であれば、ステップ１に戻る。ステップ６において電流が正常であれば精密測定処理を行う（ステップ７）。精密測定処理では、アナログスイッチ９は差動増幅部８に接続される。電流電極部２から測定対象物に印加された電流により生じる抵抗電位を電圧電極部３・差動増幅部８・Ａ／Ｄ変換部１０によって検出し、測定Ａを行う。
【００４０】
測定が完了したか否かを判定する（ステップ８）。
【００４１】
ステップ８において測定が完了していない場合にはステップ５に戻る。ステップ８において測定が完了した場合には、表示部１１に測定結果を表示し（ステップ９）、測定を終了する。
【００４２】
上述のステップ３及び６において異常であると判定された場合に、表示部１１にその旨を文字等によって表示し使用者に報知するようにしてもよい。
【００４３】
以下に、ステップ３及びステップ６における電流駆動部４から出力される電流波形が正常か否かの判定方法を説明する。
【００４４】
図３（ａ），（ｂ）は、いずれも横軸に時間、縦軸に電流値をとったグラフである。図３（ｃ），（ｄ）は、いずれも横軸に時間、縦軸に電圧値をとったグラフである。
【００４５】
図３（ａ）は、電流電極部２を測定対象物に密着させた場合の電流駆動部４の電流出力値を示す。このとき電流駆動部４の電流出力は、１．４ｍＡｐ−ｐの正弦波であり、破線で示された上限及び下限値に挟まれた範囲内に収まっている。図３（ｂ）は、電流電極部２を測定対象物から離した場合の電流駆動部４の電流出力値を示す。このとき電流駆動部４の電流出力のｐｅａｋ−ｔｏ−ｐｅａｋ値は１．４ｍＡより大きく、破線で示される正常時（密着時）の上限及び下限値の範囲を超えている。
【００４６】
上述したように、電流電極部２が測定対象物に密着しているか否かにより、電流駆動部４から出力される電流値の波形は変化する。従って、本実施形態のように、アナログスイッチ９を電圧増幅部７側に接続し、電流駆動部４の出力を検出し、電流波形が正常か否かを判定することにより、電流電極部２の密着判定を行うことができる。電流駆動部４の出力信号の波形が正常であるか否かの判定には、所定の範囲内に収まるか否かの判定に限らず、信号波形そのものが歪む場合等のように変形するか否かを判定であってもよい。
【００４７】
また、上述したように電流駆動部４から出力される電流を電流駆動部４と電流電極部２との間で取り出す場合に限らず、電流駆動部４から出力された信号を電流電極部から取り出し、この信号波形が正常か否かを判定するようにしても同様に電流電極部２の密着判定を行うことができる。図３（ｃ）に電流電極部２を測定対象物に密着させた場合に電流電極部２によって印加される出力電圧値を示す。図３（ｄ）は、電流電極部２を測定対象物から離した場合に電流電極部２によって印加される出力電圧値を示す。このとき、電圧値は、図３（ｃ）に示す波形より振幅が大きく、上限及び下限において飽和し、波形が歪んでいる。従って、出力信号の波形が歪むか否かによって正常か否かを判定することができる。
【００４８】
密着判定モードと精密測定モードをアナログスイッチ９によって切り替えることができ、電流電極部２が測定対象物に密着していると判定された場合に精密測定を行うことにより、接触抵抗の影響を抑制し、電極が測定対象物に正常に接触していない状態での誤計測を防止することができ、インピーダンスが小さい測定対象物についてもインピーダンスを精度良く測定することができる。また、電極が測定対象物に正常に接触しているか否かを電流波形によって判定するため、電極側へのインピーダンスに全く影響を及ぼさず、測定値のずれも生じない。さらに、精密測定モードでもアナログスイッチ９を切り替えることにより、電流波形を検出することができるので、測定中に電極の接触状態が変化しても検出することができる。
【００４９】
本実施形態では、アナログスイッチ９によって、電圧増幅部７と差動増幅部８のいずれをＡ／Ｄ変換部１０に接続するかを切り替えているが、トランジスタを用いたスイッチによって切り替えるようにすることもできる。
【００５０】
また、本実施形態では、使用者に対して種々の情報を表示部１１によって視覚的に表示しているが、報知手段として、音声発生手段を備え、情報を音声によって報知するようにしてもよい。このようにすれば、使用者は容易に接触状態の異常を認識し、電極と測定対象物との接触状態を修正して測定をやり直すことができるので、後測定による測定の繰り返しを防止することができる。
【００５１】
図４に、本実施形態の変形例に係るインピーダンス測定装置１２の概略構成を示す。
【００５２】
インピーダンス測定装置１２では、二つのＡ／Ｄ変換部１０ａ，１０ｂを設け、電圧増幅部７の出力をＡ／Ｄ変換部１０ａを介してＣＰＵ６に入力し、差動増幅部８の出力をＡ／Ｄ変換部１０ｂを介してＣＰＵ６に入力している。ここでは、ＣＰＵ６において、二つのＡ／Ｄ変換部１０ａ，１０ｂのいずれの出力信号を利用するかを切り替える。すなわち、密着判定を行う場合にはＡ／Ｄ変換部１０ａの出力信号を用い、精密測定を行う場合にはＡ／Ｄ変換部１０ｂの出力信号を用いる。ここでは、電圧増幅部７及びＡ／Ｄ変換部１０ａが波形検出手段を構成し、ＣＰＵ６が波形判定手段を構成する。また、差動増幅部８とＡ／Ｄ変換部１０ｂに接続されたＣＰＵ６がインピーダンス測定手段を構成する。
【００５３】
図５に本発明の第１の実施形態に係るインピーダンス測定装置１を備えた健康管理指針アドバイス装置１３の外観を示す。図６に健康管理指針アドバイス装置１３の内部構造の概略を示す。
【００５４】
健康管理指針アドバイス装置１３は、本体部１３１とベルト部１３２とからなる。使用者は、本体部１３１を手に持ち、ベルト部１３２を腹部、好ましくはへそ及びその近傍の周囲に巻き付けて使用する。すなわち、健康管理指針アドバイス装置１３は、使用者の腹部を測定対象物とするインピーダンス測定装置１を備える。
【００５５】
本体部１３１には、電源スイッチ１４１及び測定スイッチ１４２、設定スイッチ１４３を含む操作入力部１４と表示部１１と通信部１５とが設けられている。
【００５６】
ベルト部１３２は、図１に示すインピーダンス測定装置１の構成に加えて、本体部１３１と通信部１６を備える。電流電極部２及び電圧電極部３は、それぞれ二つの電極２ａ，２ｂ及び３ａ，３ｂからなる。ベルト部１３２の前面及び背面に設けられた前面部１３２１及び背面部１３２２にそれぞれ電流電極２ａ，２ｂが支持されている。電流電極２ａ，２ｂはベルト部１３２の内周側に露出して配置され、使用者の腹部体表面に接触するようになっている。また、ベルト部１３２の右側面の前後に設けられた第１右側面部１３２３及び第２右側面部１３２４にそれぞれ電圧電極３ａ，３ｂが支持されている。電圧電極３ａ，３ｂも同様にベルト部１３２の内周側に露出して配置され、使用者の腹部体表面に接触するようになっている。ベルト部１３２は、前面部１３２１がバックルになっており、ベルト部１３２の長さを調節し、端部に設けられたタング部（図示せず）を前面部１３２１に連結できる構成となっている。
【００５７】
使用者は、操作入力部１４によって所定の情報の入力及び操作指示を行う。操作入力部１４から入力された情報は通信部１５を介してベルト部１３２に送信される。ベルト部１３２では、この情報を通信部１６を介して受信し、ＣＰＵ６がこれに応じた処理及び各部の制御を行う。また、ＣＰＵ６における測定結果等の情報は同様に本体部１３１に送信され、表示部１４に表示される。本体部１３１とベルト部１３２との間の通信は、例えば赤外線によって行うことができるが、これに限られない。
【００５８】
健康管理指針アドバイス装置１３では、使用者が設定スイッチ１４３を用いて入力した身長及び体重、年齢、性別等の情報と、電流電極部２から使用者の身体に印加される高周波電流及び電圧電極部３によって検出される電位から算出されるインピーダンスとに基づいてＣＰＵ６が所定の処理を行い、体脂肪率及び体脂肪量、除脂肪量等の健康管理に有益な指針情報を算出し、表示部１１に表示する。ここでは、ＣＰＵ６及び表示部１１が指針情報提供部を構成する。
【００５９】
健康管理指針アドバイス装置１３における測定手順は、図２と同様であり、この場合には、電極と使用者の体表面とが密着しているか否かを判定する。
【００６０】
腹部の場合には、身体の他の部位に比べてインピーダンスが小さいため、上述のインピーダンス測定装置１を備えた健康管理指針アドバイス装置１３を用いれば、正確な測定が可能となる。
【００６１】
ここでは、使用者の腹部を測定対象とする健康管理指針アドバイス装置について説明したが、上腕部や大腿部のようにインピーダンスが小さい部位を測定対象とし、体脂肪率等を算出する健康管理指針アドバイス装置に適用することもできる。
【００６２】
本発明に係る健康管理指針アドバイス装置は、上述のような構成に限られず、本体部１３１とベルト部１３２を一体に備えるものでもよい。また、電流電極部２及び電圧電極部３を支持する部材もベルト状の部材に限られるものではない。
【００６３】
（第２の実施形態）
図７に本発明の第２の実施形態に係るインピーダンス測定装置２１の概略構成を示す。第１の実施形態に係るインピーダンス測定装置１と同様の構成については同様の符号を用いて説明を省略する。
【００６４】
インピーダンス測定装置２１は、主として、電流電極部２、電圧電極部３、電流駆動部４、フィルタ部５、ＣＰＵ６、差動増幅部８、Ａ／Ｄ変換部１０、表示部１１、密着判定用抵抗１７、アナログスイッチ１８を備える。
【００６５】
本実施形態では、電流電極部２と電圧電極部３との間に、例えば１ｋ〜１００ｋΩ程度の抵抗値を持った密着判定用抵抗１７が設けられている。密着判定用抵抗１７と電流電極部２との間、密着判定用抵抗１７と電圧電極部３との間は、それぞれアナログスイッチ（抵抗断続手段）１８によって電気的に切断及び接続される。アナログスイッチ１８の制御すなわち接続状態の切替はＣＰＵ（抵抗断続制御手段）６が行う。密着判定用抵抗１７の抵抗値は測定対象物のインピーダンスに比べてかなり大きくなるように設定する。
【００６６】
図８は、電流電極部２及び電圧電極部３並びに密着判定用抵抗１７及びアナログスイッチ１８の接続関係の詳細を示す。
【００６７】
電流電極部２は二つの電流電極２ａ，２ｂからなり、電圧電極部３も二つの電圧電極３ａ，３ｂからなる。電流電極２ａと密着判定用抵抗１７ａとの間がアナログスイッチ１８ａによって断続され、電圧電極３ａと密着判定用抵抗１７ａとの間がアナログスイッチ１８ｂによって断続される。また、電流電極２ｂと密着判定用抵抗１７ｂとの間がアナログスイッチ１８ｃによって断続され、電圧電極３ｂと密着判定用電極１７ｂとの間がアナログスイッチ１８ｄによって断続される。
【００６８】
図９にインピーダンス測定装置２１による測定動作の手順を示す。
【００６９】
測定を開始すると、まず、密着判定モードとなる（ステップ２１）。ここで、アナログスイッチ１８は、電流電極部２と電圧電極部３とをそれぞれ密着判定用抵抗１７に接続している。すなわち、電流電極部２と電圧電極部３とが密着判定用抵抗１７を介して接続された状態となっている。
【００７０】
ここで、密着判定処理を行う（ステップ２２）。密着判定処理では、後述の方法により電流電極部２及び電圧電極部３が測定対象物に密着したか否かを判定し（ステップ２３）、密着していないと判定された場合にはステップ２２に戻る。ステップ２３において、電流電極部２及び電圧電極部３が測定対象物に密着したと判定された場合には、精密測定モードに移行する（ステップ２４）。精密判定モードでも、ステップ２２と同様に密着判定処理を行う（ステップ２５）。密着判定処理においては、インピーダンス測定値に基づいて電流電極部２及び電圧電極部３が測定対象物に対して密着状態にあるか否かを判定する（ステップ２６）。
【００７１】
ステップ２６において密着状態でないと判定された場合にはステップ２１に戻る。ステップ２６において密着状態であると判定された場合には精密測定処理を行う（ステップ２７）。精密測定モードにおいても、電流電極部２から測定対象物に印加された電流により生じる抵抗電位を電圧電極部３・差動増幅部８・Ａ／Ｄ変換部１０によって検出し、測定対象物のインピーダンス測定を行う点はステップ２２の密着判定処理と同様である。但し、精密測定モードでは、アナログスイッチ１８が切り替えられ、密着判定用抵抗１７と電流電極部２との間、密着判定用抵抗１７と電圧電極部３との間が切断される。密着判定用抵抗１７の抵抗値は、測定対象物のインピーダンスに比べてかなり大きくなるように設定されているので、測定対象物のインピーダンスが小さい場合には、測定精度が低くなる。従って、このように密着判定用抵抗１７を切り離すことにより、インピーダンスの小さい測定対象物についても高精度の測定が可能となる。
【００７２】
測定を完了したか否かを判定する（ステップ２８）。
【００７３】
ステップ２８において測定が完了していない場合にはステップ２５に戻る。ステップ２８において測定が完了した場合には、表示部１１に測定結果を表示し（ステップ２９）、測定を終了する。
【００７４】
以下に、電流電極部２及び電圧電極部３が測定対象物に密着したか否かの判定方法について説明する。
【００７５】
差動増幅部８によって増幅された電圧電極部３の出力がＡ／Ｄ変換部１０によってデジタル信号に変換されＣＰＵ６に入力され、インピーダンスが測定される。電流電極部２及び電圧電極部３のいずれかの測定対象物に密着していない場合のインピーダンス測定値は、電流電極部２及び電圧電極部３のいずれもが測定対象物に密着している場合の測定値よりも大きくなる。ここで、参考のために、図１０（ａ），（ｂ）に横軸に時間、縦軸に電圧値をとったグラフであり、それぞれ電流電極部２及び電圧電極部３が測定対象物に密着している場合と密着していない場合に電流電極部２によって印加される出力電圧値を示す。
【００７６】
従って、予め測定値の範囲を設定しておき、インピーダンス測定値がこの所定範囲を超えるか否かにより電流電極部２及び電圧電極部３のいずれかが測定対象物に密着しているか否かをＣＰＵ（範囲判定手段及び接触状態判定手段）６において判定することができる。電流電極部２と電圧電極部３とは、密着判定用抵抗１７を介して接続されているので、電流電極部２及び電圧電極部３のいずれかの測定対象物に密着していない場合でも、電流電極部２・電圧電極部３間のインピーダンスが大きくなることがなく、誘導ノイズの影響を抑制することができる。
【００７７】
上述のステップ２２及び２４において密着していないと判定された場合に、表示部１１にその旨を文字等によって表示し使用者に報知するようにしてもよい。
【００７８】
密着判定モードと精密測定モードをアナログスイッチ１８によって切り替えることができ、電流電極部２及び電圧電極部３が体表面に密着していると判定された場合に精密測定を行うことにより、誘導ノイズの影響を抑制し、電極が測定対象物に正常に接触していない状態での誤計測を防止することができ、インピーダンスが小さい測定対象物についてもインピーダンスを精度良く測定することができる。また、インピーダンス測定装置２１は、電流電極部２及び電圧電極部３との間の密着判定用抵抗１７とこれを断続するアナログスイッチ１８という簡単な構成によって高精度かつ低インピーダンスの測定を実現できる。さらに、精密測定モードでもアナログスイッチ１８を切り替えることにより、密着判定を行うことができるので、測定中に電極の接触状態が変化しても検出することができる。
【００７９】
本実施形態では、アナログスイッチ１８を切り替えて、電流電極部２及び電圧電極部３と密着判定用抵抗１７との間を断続しているが、トランジスタを用いたスイッチによって切り替えるようにすることもできる。
【００８０】
本実施形態に係るインピーダンス測定装置２１を、第１の実施形態において説明した健康管理指針アドバイス装置に備えることにより、図１１に示すような第２の実施形態に係る健康管理指針アドバイス装置２３を構成することができる（インピーダンス測定装置２１及び健康管理指針アドバイス装置１３と同様の構成については同様の符号を付して説明を省略する。）。
【００８１】
健康管理指針アドバイス装置２３においても腹部のように身体の他の部位に比べてインピーダンスが小さい部位についても正確な測定が可能となる。
【００８２】
本実施形態及び第３の実施形態では、アナログスイッチ１８を電流電極部２側及び電圧電極部３側の２ヵ所に設け、切断及び接続しているが、いずれか１ヶ所で切断及び接続するようにしてもよい。
【００８３】
（第３の実施形態）
図１２に本発明の第３の実施形態に係るインピーダンス測定装置３１の概略構成を示す。第１及び第２の実施形態に係るインピーダンス測定装置１，２１と同様の構成については同様の符号を用いて説明を省略する。
【００８４】
インピーダンス測定装置３１は、主として、電流電極部２、電圧電極部３、電流駆動部４、フィルタ部５、ＣＰＵ６、差動増幅部８、Ａ／Ｄ変換部１０、表示部１１、密着判定用抵抗１７、アナログスイッチ１８、接触センサ１９を備える。
【００８５】
本実施形態では、電流電極部２及び電圧電極部３と測定対象物との接触状態を検出する接触センサ（接触状態検出手段）１９が設けられている。この接触センサ１９の検出結果に応じてアナログスイッチ１８を切り替える。
【００８６】
図１３は、電流電極部２及び電圧電極部３並びに密着判定用抵抗１７及びアナログスイッチ１８、接触センサ１９の接続関係の詳細を示す。
【００８７】
電流電極部２は二つの電流電極２ａ，２ｂからなり、電圧電極部３も二つの電圧電極３ａ，３ｂからなる。電流電極２ａと密着判定用抵抗１７ａとの間に設けられたアナログスイッチ１８ａは接触センサ１９ａの検出結果に応じて切り替えられ、電圧電極３ａと密着判定用抵抗１７ａとの間に設けられたアナログスイッチ１８ｂは接触センサ１９ｂの検出結果に応じて切り替えられる。また、電流電極２ｂと密着判定用抵抗１７ｂとの間に設けられたアナログスイッチ１８ｃは接触センサ１９ｃの検出結果に応じて切り替えられ、電圧電極３ｂと密着判定用電極１７ｂとの間に設けられたアナログスイッチ１８ｄは接触センサ１９ｄの検出結果に応じて切り替えられる。ここでは、アナログスイッチ１８が抵抗断続手段及び抵抗断続制御手段を構成する。
【００８８】
図１４にインピーダンス測定装置３１による測定動作の手順を示す。
【００８９】
測定を開始すると、まず、密着判定モードとなる（ステップ３１）。ここでは、アナログスイッチ１８は、密着判定用抵抗１７が電流電極部２及び電圧電極部３に接続された状態となっている。すなわち、電流電極部２と電圧電極部３とが密着判定用抵抗１７を介して接続された状態となっている。
【００９０】
ここで、接触センサ判定処理が行われる（ステップ３２）。ここでは、接触センサ１９により、電流電極部２及び電圧電極部３が測定対象物に密着したか否かを判定、すなわち接触状態が正常か否かを検出する（ステップ３３）。
【００９１】
ステップ３３において電流電極部２及び電圧電極部３が測定対象物に密着していない場合には、ステップ３２に戻る。ステップ３３において電流電極部２及び電圧電極部３が測定対象物に密着した場合には、アナログスイッチ１８が切り替えられると同時に、ＣＰＵ６に接触センサ１９による接触状態が正常である旨の出力が伝えられ、精密測定モードに移行する（ステップ３４）。精密測定モードでは、密着判定用抵抗１７と電流電極部２との間、密着判定用抵抗１７と電圧電極部３との間が切断される。このとき、電流電極部２から測定対象物に印加された電流により生じる抵抗電位を電圧電極部３・差動増幅部８・Ａ／Ｄ変換部１０によって検出し、測定対象物のインピーダンス測定を行う。
【００９２】
精密測定モードにおいても、接触センサ判定処理を行う（ステップ３５）。ここでも、接触センサ１９により電流電極部２及び電圧電極部３が測定対象物に密着した状態であるか否かを検出する（ステップ３６）。
【００９３】
ステップ３６において、電流電極部２及び電圧電極部３が測定対象物に密着した状態ではない場合には、ステップ３１に戻る。すなわち、アナログスイッチ１８が切り替えられ、密着判定用抵抗１７と電流電極部２との間、密着判定用抵抗１７と電圧電極部３との間が再び接続される。ステップ３６において、電流電極部２及び電圧電極部３が測定対象物に密着した状態である場合には、精密測定処理が行われ（ステップ３７）、測定が完了したか否かを判定する（ステップ３８）。
【００９４】
ステップ３８において、測定が完了していないと判定された場合には、ステップ３５に戻る。ステップ３８において、測定が完了していないと判定された場合には、表示部１１に測定結果を表示し（ステップ３９）、測定を終了する。
【００９５】
上述のステップ３３及び３６において密着していない場合に、表示部１１にその旨を文字等によって表示し使用者に報知するようにしてもよい。
【００９６】
接触センサ１９により電流電極部２及び電圧電極部３が体表面に密着しているか否かを検出し、検出結果に応じてアナログスイッチ１８を切り替え、電流電極部２及び電圧電極部３と密着判定用抵抗とを切断及び接続することにより、誘導ノイズの影響を抑制し、電極が測定対象物に正常に接触していない状態での誤計測を防止することができ、インピーダンスが小さい測定対象物についてもインピーダンスを精度良く測定することができる。また、インピーダンス測定装置３１においては、精密測定モード中に電極が外されても、接触センサ１９がこれを検出し、アナログスイッチ１８を切り替え、電流電極部２及び電圧電極部３と密着判定用抵抗１７とを接続するので、誘導ノイズの影響を受けることがない。さらに、測定開始から測定終了までの間にも電極が測定対象物に密着しているか否かを検出できるので、より信頼性の高い測定が可能となり、かつ測定精度と測定安定性を確保することができる。
【００９７】
本実施形態では、アナログスイッチ１８を切り替えて、電流電極部２及び電圧電極部３と密着判定用抵抗１７との間を断続しているが、抵抗断続手段としてはトランジスタを用いたスイッチによって切り替えるようにすることもできる。また、メカ的なリレーを用いることもできる。
【００９８】
接触センサ１９としては、電極と測定対象物との接触状態を検出できるものであればよく、測定対象物にメカスイッチが押圧されることにより接触状態を検出する機械式、半導体式、静電容量式等の種々の方式のセンサを用いることができる。これらの接触センサは、電極と一体に設けられていてもよいし、独立に設けられていてもよい。
【００９９】
本実施形態では、接触センサ１９の検出結果によってアナログスイッチ１８を切り替えているが、接触センサ１９の出力をＣＰＵ６に入力し、電極と測定対象物が密着しているか否かすなわち接触状態が正常か否かを判定し、ＣＰＵ６が判定結果に応じてアナログスイッチ１８を切り替えるように制御することもできる。この場合には、ＣＰＵ６が接触状態判定手段及び抵抗断続制御手段を構成する。また、接触センサ１９の出力をＣＰＵ６に入力し、電極と測定対象物が密着しているか否かすなわち接触状態が正常か否かを判定し、密着していない場合には、ＣＰＵ６がＡ／Ｄ変換部１０の出力を無視するようにすることもできる。また、精密測定モードにおいて測定値が測定範囲を超えている場合には、電極と測定対象物とが密着していないとして測定を行わないようにすることもできる。
【０１００】
本実施形態に係るインピーダンス測定装置３１を、第１の実施形態において説明した健康管理指針アドバイス装置に備えることにより、図１５に示すような第３の実施形態に係る健康管理指針アドバイス装置３３を構成することができる（インピーダンス測定装置３１及び健康管理指針アドバイス装置１３と同様の構成については同様の符号を付して説明を省略する。）。
【０１０１】
健康管理指針アドバイス装置３３においても腹部のように身体の他の部位に比べてインピーダンスが小さい部位についても正確な測定が可能となる。
【０１０２】
また、健康管理指針アドバイス装置３３では、電極を支持するベルト部１３２と使用者の腹部との接触状態に応じて、ベルト部１３２に作用する張力（テンション）が変化するので、歪ゲージのようにベルト部１３２の張力を検出するセンサを設け、この張力が一定であるか否かにより、アナログスイッチ１８を切り替えるようにしてもよい。この場合には、張力を検出するセンサが接触状態検出手段を構成する。
【０１０３】
【発明の効果】
このように本発明によれば、高精度の測定が可能でありかつ低インピーダンスも測定可能なインピーダンス測定装置及び健康管理指針アドバイス装置を提供することができる。
【図面の簡単な説明】
【図１】図１は本発明の第１の実施形態に係るインピーダンス測定装置の概略構成を示すブロック図である。
【図２】図２は本発明の第１の実施形態に係るインピーダンス測定装置による測定動作の手順を示すフローチャートである。
【図３】図３（ａ）は電流電極部を測定対象物に密着させた場合の電流駆動部の電流出力値を示すグラフであり、図３（ｂ）は電流電極部を測定対象物から離した場合の電流駆動部の電流出力値を示すグラフであり、図３（ｃ）は電流電極部を測定対象物に密着させた場合に電流電極部によって印加される出力電圧値を示すグラフであり、図３（ｄ）は電流電極部を測定対象物から離した場合に電流電極部によって印加される出力電圧値を示すグラフである。
【図４】図４は本発明の第１の実施形態の変形例に係るインピーダンス測定装置の概略構成を示すブロック図である。
【図５】図５は本発明の第１の実施形態に係る健康管理指針アドバイス装置の外観を示す図である。
【図６】図６は本発明の第１の実施形態に係る健康管理指針アドバイス装置の内部構造の概略を示すブロック図である。
【図７】図７は本発明の第２の実施形態に係るインピーダンス測定装置の概略構成を示すブロック図である。
【図８】図８は本発明の第２の実施形態に係るインピーダンス測定装置における電流電極部及び電圧電極部並びに密着判定用抵抗及びアナログスイッチの接続関係の詳細を示す図である。
【図９】図９は本発明の第２の実施形態に係るインピーダンス測定装置による測定動作の手順を示すフローチャートである。
【図１０】図１０（ａ），（ｂ）は電流電極部及び電圧電極部の密着判定方法を説明するグラフである。
【図１１】図１１は本発明の第２の実施形態に係る健康管理指針アドバイス装置の概略構成を示すブロック図である。
【図１２】図１２は本発明の第３の実施形態に係るインピーダンス測定装置の概略構成を示すブロック図である。
【図１３】図１３は本発明の第３の実施形態に係るインピーダンス測定装置における電流電極部及び電圧電極部並びに密着判定用抵抗及びアナログスイッチの接続関係の詳細を示す図である。
【図１４】図１４は本発明の第３の実施形態に係るインピーダンス測定装置による測定動作の手順を示すフローチャートである。
【図１５】図１５は本発明の第３の実施形態に係る健康管理指針アドバイス装置の概略構成を示すブロック図である。
【符号の説明】
１，２１，３１　インピーダンス測定装置
２　　　電流電極部
２ａ，２ｂ　　電流電極
３　　　電圧電極部
３ａ，３ｂ　　電圧電極
４　　　電流駆動部
６　　　ＣＰＵ
７　　　電圧増幅部
８　　　差動増幅部
９，１８，１８ａ，１８ｂ，１８ｃ，１８ｄ　アナログスイッチ
１０　　Ａ／Ｄ変換部
１１　　表示部
１３，２３，３３　　健康管理指針アドバイス装置
１７，１７ａ，１７ｂ　　密着判定用抵抗
１９，１９ａ，１９ｂ，１９ｃ，１９ｄ　接触センサ
【図１】
2004000333.tif 000003
【図２】
2004000333.tif 000004
【図３】
2004000333.tif 000005
【図４】
2004000333.tif 000006
【図５】
2004000333.tif 000007
【図６】
2004000333.tif 000008
【図７】
2004000333.tif 000009
【図８】
2004000333.tif 000010
【図９】
2004000333.tif 000011
【図１０】
2004000333.tif 000012
【図１１】
2004000333.tif 000013
【図１２】
2004000333.tif 000014
【図１３】
2004000333.tif 000015
【図１４】
2004000333.tif 000016
【図１５】
2004000333.tif 000017